(57)【特許請求の範囲】
【請求項１】
駆動手段の駆動に伴い遊技球が入賞可能な入賞口を開閉手段で開閉する入賞装置を備えた遊技機において、
前記入賞装置は、
前記開閉手段に設けられ、前記入賞口を開閉手段が閉鎖する閉鎖位置および入賞口を開閉手段が開放する開放位置の間を開閉手段と一体的に変位する連繋部および規制部と、
前記駆動手段に配設され、該駆動手段の駆動に伴い前記開閉手段の開放を規制するロック位置および該開閉手段の開放位置に対応した作動位置に往復移動するよう構成されると共に常にはロック位置へ向けて付勢された作動部材と、
前記作動部材に設けられて前記連繋部と係脱可能に係合し、該作動部材のロック位置から作動位置への変位に伴い前記開閉手段を閉鎖位置から開放位置へ変位させる開閉作動部と、
前記作動部材に設けられて前記規制部と係脱可能に係合し、該規制部との係合作用下において前記開閉手段の閉鎖位置から開放位置への変位を規制するロック部とを備え、
前記作動部材が前記ロック位置にある状態では、前記開閉作動部と連繋部との係合が解除されると共に前記規制部とロック部とが係合して前記開閉手段の閉鎖位置から開放位置への変位を規制され、
前記作動部材がロック位置から作動位置へ向けて変位する過程のロック解除位置で前記規制部とロック部との係合が解除されると共に前記開閉作動部と連繋部とが係合し、ロック解除位置から作動位置へ作動部材が変位することで、前記開閉手段が閉鎖位置から開放位置へ変位されるよう構成され、
前記開閉手段は、前後方向に延在する回転軸から径方向へ延在する開閉部と、該回転軸を挟んで開閉部の延在方向と反対方向へ延在する装飾部とを備え、前記閉鎖位置にある状態において前記装飾部が回転軸を中心に垂下する姿勢に保持されると共に、前記開放位置にある状態において装飾部が回転軸を中心に傾斜した姿勢に保持されよう構成されて、
前記開閉手段が自重で閉鎖位置へ向けて付勢されるよう構成された
ことを特徴とする遊技機。
【請求項２】
前記装飾部に錘部が設けられた請求項１記載の遊技機。
【請求項３】
前記駆動手段としてプランジャを上下方向に移動させるソレノイドを備えて、該プランジャに前記作動部材が取り付けられ、当該駆動手段の非駆動時にプランジャが下方へ突出することで作動部材がロック位置へ付勢されると共に、当該駆動手段の駆動に伴いプランジャが上方移動することで作動部材が作動位置に移動するよう構成された請求項１または２項に記載の遊技機。
【発明の詳細な説明】
【技術分野】
【０００１】
本発明は、遊技球が入賞可能な入賞口を開閉部材で開閉するよう構成された入賞装置を備えた遊技機に関するものである。
【背景技術】
【０００２】
代表的な遊技機であるパチンコ機は、遊技盤の盤面に画成した遊技領域の略中央位置に枠状の装飾部材(所謂センター役物)が配設されており、この装飾部材の開口部を介して複数の図柄を変動表示する液晶式やドラム式等の図柄表示装置を後方から臨ませると共に、該遊技盤における装飾部材の下方位置に、パチンコ球(遊技球)の入賞により図柄表示装置での図柄変動を開始させる始動入賞装置や大当り時等に開放する特別入賞装置を配設するよう構成されたものが多数提案されている。このようなパチンコ機では、前記遊技領域に打ち出されたパチンコ球が遊技領域内に植設された遊技釘等との接触により跳ね返りながら次第に自重により流下し、該遊技領域を流下する過程で前記始動入賞装置の入賞口に入賞することにより、前記図柄表示装置で図柄変動に伴うリーチ演出等の各種の遊技演出がなされ、該図柄表示装置に図柄が所定の組み合わせで停止することにより所謂大当り遊技や小当り遊技等の当り遊技が生起されるよう構成されている。
【０００３】
また、前記パチンコ機において、遊技領域に対してパチンコ球が打ち出される装飾部材の上部に、前記図柄表示装置での大当り時に開閉部材を作動して入賞口を開放する第２の特別入賞装置を配設し、遊技の興趣を向上するものが提案されている(例えば、特許文献１参照)。特許文献１における第２の特別入賞装置では、開閉部材の一端を装飾部材に枢支して入賞口を開閉し得るよう構成されている。
【先行技術文献】
【特許文献】
【０００４】
【特許文献１】特開２０１０−１１９６７１号公報
【発明の概要】
【発明が解決しようとする課題】
【０００５】
ところで、入賞口を開閉する入賞装置に対しては、パチンコ機の僅かな隙間から遊技領域内へ針金等の器具を侵入させて、入賞口を閉鎖している開閉部材を強制的に開放させる不正行為が行われる虞がある。このような不正行為が行われると、大当り等の入賞口が開放する機会が与えられていないにも拘わらず、入賞装置へのパチンコ球の入賞により不正な賞球が払い出されてしまい、正規な遊技が行われない問題がある。このため、パチンコ機には、大当り等の入賞口が開放する機会が与えられていない状態でのパチンコ球の入賞を検知して遊技店側に不正行為を報知する対策等が施されてはいるものの、不正行為を事後的に発見し得るに過ぎず、入賞口の不正開放行為自体を防止し得るものではない。
【０００６】
すなわち本発明は、従来の技術に係る遊技機に内在する前記課題に鑑み、これを好適に解決するべく提案されたものであって、コンパクトでありながらも開閉手段の不正開放を防止可能な入賞装置を備えた遊技機を提供することを目的とする。
【課題を解決するための手段】
【０００７】
前記課題を克服し、所期の目的を達成するため、本願の請求項１に係る発明は、
駆動手段(52)の駆動に伴い遊技球が入賞可能な入賞口(51)を開閉手段(53)で開閉する入賞装置(50)を備えた遊技機において、
前記入賞装置(50)は、
前記開閉手段(53)に設けられ、前記入賞口(51)を開閉手段(53)が閉鎖する閉鎖位置および入賞口(51)を開閉手段(53)が開放する開放位置の間を開閉手段(53)と一体的に変位する連繋部(84)および規制部(85)と、
前記駆動手段(52)に配設され、該駆動手段(52)の駆動に伴い前記開閉手段(53)の開放を規制するロック位置および該開閉手段(53)の開放位置に対応した作動位置に往復移動するよう構成されると共に常にはロック位置へ向けて付勢された作動部材(86)と、
前記作動部材(86)に設けられて前記連繋部(84)と係脱可能に係合し、該作動部材(86)のロック位置から作動位置への変位に伴い前記開閉手段(53)を閉鎖位置から開放位置へ変位させる開閉作動部(89)と、
前記作動部材(86)に設けられて前記規制部(85)と係脱可能に係合し、該規制部(85)との係合作用下において前記開閉手段(53)の閉鎖位置から開放位置への変位を規制するロック部(86a)とを備え、
前記作動部材(86)が前記ロック位置にある状態では、前記開閉作動部(89)と連繋部(84)との係合が解除されると共に前記規制部(85)とロック部(86a)とが係合して前記開閉手段(53)の閉鎖位置から開放位置への変位を規制され、
前記作動部材(86)がロック位置から作動位置へ向けて変位する過程のロック解除位置で前記規制部(85)とロック部(86a)との係合が解除されると共に前記開閉作動部(89)と連繋部(84)とが係合し、ロック解除位置から作動位置へ作動部材(86)が変位することで、前記開閉手段(53)が閉鎖位置から開放位置へ変位されるよう構成され、
前記開閉手段(53)は、前後方向に延在する回転軸(54)から径方向へ延在する開閉部(53a)と、該回転軸(54)を挟んで開閉部(53a)の延在方向と反対方向へ延在する装飾部(53c)とを備え、前記閉鎖位置にある状態において前記装飾部(53c)が回転軸(54)を中心に垂下する姿勢に保持されると共に、前記開放位置にある状態において装飾部(53c)が回転軸(54)を中心に傾斜した姿勢に保持されよう構成されて、
前記開閉手段(53)が自重で閉鎖位置へ向けて付勢されるよう構成されたことを要旨とする。
【０００８】
このように、駆動手段の非駆動時には作動部材がロック位置に変位し、該作動部材に設けられたロック部が規制部に係合して開閉手段の閉鎖位置から開放位置への変位を規制するから、開閉手段を直接開放操作しても入賞口を開放することができず、該開閉手段の不正開放を阻止することができる。また、この状態では前記作動部材に設けた開閉作動部と連繋部との係合が解除されるから、開閉手段が不用意に開放位置へ変位するのを防止できる。一方で、駆動手段の駆動に伴って作動部材がロック位置からロック解除位置に変位することにより、前記規制部とロック部との係合が解除されると共に前記開閉作動部と連繋部とが係合するから、該ロック解除位置から作動位置へ向けて作動部材が更に変位することで開閉手段を開放することができる。すなわち、駆動手段の駆動に依らない不正な開閉手段の開放動作を防止できる。また、駆動手段に配設される作動部材に開閉作動部とロック部とを設け、該駆動手段の駆動に伴い開閉手段をロックする状態とロック解除する状態とに切り替わるよう構成したことで、入賞装置全体のコンパクト化が図られる。更に、開閉手段が開放位置に回転変位した状態で閉鎖位置へ向けて回転力が開閉手段に作用するよう構成したことで、入賞口を閉鎖する閉鎖位置に開閉手段をより安定的に保持することができ、該開閉手段の不正な開放をより効果的に阻止できる。
【００１０】
請求項２に係る発明は、前記装飾部(53c)に錘部(53d)が設けられたことを要旨とする。
このように、開閉手段の装飾部に錘部を設けることで、開閉手段を閉鎖位置に安定的に保持でき、該開閉手段の不正な開放をより効果的に阻止できる。
【００１１】
請求項３に係る発明は、前記駆動手段(52)としてプランジャ(52a)を上下方向に移動させるソレノイドを備えて、該プランジャ(52a)に前記作動部材(86)が取り付けられ、当該駆動手段(52)の非駆動時にプランジャ(52a)が下方へ突出することで作動部材(86)がロック位置へ付勢されると共に、当該駆動手段(52)の駆動に伴いプランジャ(52a)が上方移動することで作動部材(86)が作動位置に移動するよう構成されたことを要旨とする。
このように、駆動手段としてのソレノイドのプランジャが非駆動時に下方へ突出するよう構成したことで、該プランジャの作用により作動部材がロック位置へ付勢されるから、開閉手段の不正な開放をより効果的に阻止し得る。
【発明の効果】
【００１２】
本発明に係る遊技機によれば、開閉手段の不正開放を防止しつつ入賞装置のコンパクト化を図り得る。
【図面の簡単な説明】
【００１３】
【図１】本発明の実施例に係るパチンコ機の正面図である。
【図２】実施例に係る遊技盤の正面図である。
【図３】実施例に係る遊技盤と設置部材とを分解した状態を示す斜視図であって、遊技盤を背面側から示すと共に設置部材を正面側から示す。
【図４】実施例に係る第２特別入賞装置が配設された枠状装飾体の正面図である。
【図５】実施例に係る遊技盤における第２特別入賞装置の配設位置の拡大図であって(a)は特別入賞口開閉部材が閉鎖位置にある状態を示し、(b)は特別入賞口開閉部材が開放位置にある状態を示す。
【図６】図４におけるＡ−Ａ線断面図である
【図７】実施例に係る第２特別入賞装置を示す斜視図である。
【図８】実施例に係る枠状装飾体と第２特別入賞装置とを分解した状態を背面側から示す斜視図である。
【図９】実施例に係る第２特別入賞装置を正面側から示す分解斜視図である。
【図１０】実施例に係る第２特別入賞装置を背面側から示す分解斜視図である。
【図１１】実施例に係る第２特別入賞装置の特別入賞口開閉部材を２点鎖線で示した正面図であって、(a)は特別入賞口開閉部材が閉鎖位置にある状態を示し、(b)は特別入賞口開閉部材が開放位置にある状態を示す。
【図１２】実施例に係る第２特別入賞装置の第１ケース部を示す背面図である。
【図１３】(a)は第２特別入賞装置の第２ケース部を示す背面図であって、作動部材がロック位置にある状態を示し、(b)は作動部材がロック位置にある状態を示す要部拡大底面図である。
【図１４】実施例に係る第２特別入賞装置の作動機構を示す分解斜視図であって、(a)は正面側から見た状態を示し、(b)は背面側から見た状態を示す。
【図１５】実施例に係る第２特別入賞装置の第２ケース部を示す背面図であって、(a)は作動部材がロック解除位置にある状態を示し、(b)は作動部材が作動位置にある状態を示す。
【図１６】実施例に係る枠状装飾体と設置部材との関係を示す説明図である。
【図１７】図１６のＢ−Ｂ線断面図である。
【図１８】実施例に係る第１球通路部材を示す分解斜視図である。
【図１９】(a)は第１球通路部材の前半体に形成されるセンサ設置部を背面側から示す斜視図であり、(b)は前半体の側面図であってセンサ設置部の保持片側から見た状態を示し、(c)は磁気センサの概略構成を示す。
【図２０】実施例に係る第２球通路部材を示す分解斜視図である。
【発明を実施するための形態】
【００１４】
次に、本発明に係る遊技機につき、好適な実施例を挙げて、添付図面を参照しながら以下詳細に説明する。なお、遊技機としては、一般的なパチンコ機１０を例にして説明する。また、以下の説明において、「前」、「後」、「左」、「右」とは、特に断りのない限り、図１に示すようにパチンコ機１０を前側(遊技者側)から見た状態で指称する。
【実施例】
【００１５】
(パチンコ機１０について)
実施例に係るパチンコ機１０は、図１に示すように、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠１２が開閉および着脱可能に組み付けられて、該遊技盤２０の裏側に、所定条件の成立(後述する始動入賞装置３０の始動入賞口３１ａ,３１ｂへのパチンコ球の入賞)を契機として演出用の図柄(以下飾図という)を変動表示させて図柄変動演出を行う図柄表示装置１８が着脱可能に配設されている。また、前記中枠１２の前面側には、前記遊技盤２０を透視保護するガラス板や透明な合成樹脂材により形成された透視保護板(図示せず)で前後に開口する窓部を覆うよう構成された装飾枠としての前枠１３が開閉可能に組み付けられると共に、該前枠１３の下方にパチンコ球を貯留する下球受け皿１５が開閉可能に組み付けられる。なお、実施例では、前記前枠１３の下部位置に、パチンコ球を貯留する上球受け皿１４が一体的に組み付けられており、前枠１３の開閉に合わせて上球受け皿１４も一体的に開閉するよう構成される。
【００１６】
また、前記中枠１２の右下方位置には、該中枠１２に配設された打球発射装置(図示せず)を作動する操作ハンドル１７が設けられている。前記操作ハンドル１７は、左回転方向に付勢された操作レバー１７ａを備えており、該操作レバー１７ａを右回転するよう遊技者が回動操作することで打球発射装置が作動されて、前記上球受け皿１４に貯留されたパチンコ球が前記遊技盤２０の遊技領域２０ａに向けて発射されるようになっている。ここで、前記操作レバー１７ａの回動量に応じて前記打球発射装置によるパチンコ球の打球力が強弱変化するよう構成されており、遊技者が操作レバー１７ａの回動量を操作することで、前記遊技領域２０ａへのパチンコ球の発射位置を任意に調整し得るようになっている。なお、実施例では、前記図柄表示装置１８としては、各種図柄を表示可能な液晶パネルを収容ケースに収容した液晶表示装置が採用されているが、これに限られるものではなく、ドラム式の図柄表示装置１８やドットマトリックス式の図柄表示装置１８等の各種図柄を停止および変動表示可能な従来公知の各種の表示装置を採用し得る。また、前記上球受け皿１４は、前記前枠１３と別体に形成して中枠１２に対して開閉可能に組み付けるようにしてもよい。そして、実施例に係る図柄表示装置１８には、前記飾図を変動表示可能な図柄表示部(図示せず)が横並び状に３列設けられており、図柄変動演出の開始に伴い各列の飾図が予め定められた変動方向(例えば縦スクロール、横スクロール等)へ変動表示し、所定のタイミングで各列の飾図が全て停止表示されることで、１回の図柄変動演出が終了するようになっている。
【００１７】
(遊技盤２０について)
前記遊技盤２０は、図１、図２に示すように、各種絵柄等が描かれた合成樹脂シート(図示せず)等を表面に貼付けて装飾した略矩形状の板部材であって、遊技盤２０の裏面側に配設された設置部材９５に、前記図柄表示装置１８が着脱可能に組み付けられている。前記遊技盤２０の前面には、略円形状に湾曲形成した案内レール２１が配設されており、該案内レール２１により画成される略円形の遊技領域２０ａに、前記中枠１２に配設された図示しない打球発射装置から発射されたパチンコ球が打ち出されることで遊技が行われるようになっている。また、前記遊技盤２０には、ルーター加工等の孔空け加工により前後に貫通する複数(実施例では３つ)の装着口２２ａ,２２ｂ,２２ｃが開設されて(図３参照)、各装着口２２ａ,２２ｂ,２２ｃに対して各種の遊技盤設置部品(具体的には後述する枠状装飾体４０、始動入賞装置３０、第１特別入賞装置３５、普通入賞口部材９０等)が前側から取り付けられると共に、遊技領域２０ａの最下部位置には、該遊技領域２０ａに打ち出されたパチンコ球を排出するアウト口２３が開設されている。なお、前記装着口２２ａ,２２ｂ,２２ｃの形成数は、遊技盤２０に取り付けられる各種遊技盤設置部品の個数や配設位置等により必要に応じて適宜変更される。
【００１８】
ここで、実施例の前記遊技盤２０には、図３に示すように、前記案内レール２１で囲まれた遊技領域２０ａの略中央の大部分が開口する第１装着口２２ａに、前後に開口する表示窓口４０ａが形成された枠状装飾体４０が取り付けられ、該枠状装飾体４０の表示窓口４０ａを介して図柄表示装置１８の表示面が遊技盤２０の前面側に臨むよう構成されている。前記枠状装飾体４０には、前記表示窓口４０ａの開口内側(左側部)に、後述する第２特別入賞装置５０が配設されており、該第２特別入賞装置５０が前記第１装着口２２ａを介して遊技盤２０の裏側に臨むよう構成されている。なお、前記遊技盤２０には、前記遊技領域２０ａ内に多数の遊技釘２４が設けられると共に、前記枠状装飾体４０の左側方に、遊技領域２０ａを流下するパチンコ球の接触に伴って回転する所謂「風車」とも称される回転案内部材２５が回転自在に支持されており、遊技領域２０ａを流下するパチンコ球が遊技釘２４や回転案内部材２５に接触することで、流下方向が不規則に変化するよう構成されている。
【００１９】
また、前記遊技盤２０における枠状装飾体４０(第１装着口２２ａ)の下方位置には、図３に示すように、遊技領域２０ａの左右幅方向の略中央に第２装着口２２ｂが開設されており、該第２装着口２２ｂに、遊技領域２０ａを流下するパチンコ球が入賞可能な始動入賞口３１ａ,３２ｂを有する始動入賞装置３０および第１特別入賞装置３５が取り付けられている。このように、実施例では、始動入賞装置３０および第１特別入賞装置３５は同じ第２装着口２２ｂに取り付けられている。そして、前記遊技盤２０における枠状装飾体４０(第２装着口２２ｂ)の左側方に開設された第３装着口２２ｃに、遊技領域２０ａを流下するパチンコ球が入賞可能な普通入賞口９２ａを有する普通入賞口部材９０が取り付けられている。
【００２０】
(始動入賞装置３０について)
図２に示すように、前記始動入賞装置(始動入賞手段)３０は、上下の位置関係で２つの前記始動入賞口３１ａ,３２ｂが設けられている。ここで、上側の始動入賞口(第１始動入賞手段)３１ａは、遊技領域２０ａ内で常に上方へ開口する常時開放タイプの入賞口とされている。下側の始動入賞口(第２始動入賞手段)３１ｂを挟む左右両側には、相互に近接および離間するよう揺動可能な一対の羽根部材３３,３３が設けられており、駆動手段としての図示しない始動入賞ソレノイドの駆動に伴って一対の羽根部材３３,３３が下側の始動入賞口３１ｂを閉鎖する閉鎖位置と開放する開放位置に羽根部材３３,３３が揺動変位するよう構成されている。すなわち、前記上側の始動入賞口３１ａは、前記遊技領域２０ａを流下するパチンコ球が一定の確率で入賞し得るよう構成されると共に、下側の始動入賞口３１ｂは、パチンコ球の入賞確率を可変し得るよう構成されている。なお、前記始動入賞装置３０の始動入賞ソレノイドは、パチンコ機１０の裏側に配設された制御装置(図示せず)に配線接続されており、所定の開閉条件に従って始動入賞ソレノイドが駆動制御されるようになっている。
【００２１】
また、前記始動入賞装置３０は、前記上下の始動入賞口３１ａ,３１ｂに入賞したパチンコ球を検出する図示しない始動入賞球検出センサが設けられている。前記始動入賞球検出センサは、前記制御装置に配線接続されており、該始動入賞球検出センサの検出を契機として所定数の賞球が払い出されると共に大当り抽選が行われて、該大当り抽選の結果に基づいて前記図柄表示装置１８における各図柄表示部の飾図を変動表示して図柄変動演出が実行されるようになっている。そして、前記図柄表示装置１８での図柄変動演出の結果、該図柄表示装置１８の各図柄表示部に所定の組み合わせ(例えば同一図柄の３つ揃い等)で飾図が停止表示されることで所謂大当りが発生し、大当りの発生に伴って前記第１特別入賞装置３５または第２特別入賞装置５０を所定の開放条件で開放して多数の賞球を獲得し得る機会が与えられるよう構成されている。また、前記始動入賞球検出センサは、始動入賞口３１ａ,３１ｂ毎に設けて入賞球を個別に検出してもよいし、各始動入賞口３１ａ,３１ｂに入賞したパチンコ球を１つのセンサで検出するよう構成してもよい。すなわち、実施例に係るパチンコ機１０では、「大当り」の発生時に開放可能な２つの特別入賞装置が配設されており、「大当り」の発生条件に応じて、第１特別入賞装置３５および第２特別入賞装置５０の何れかの入賞口が開放される。
【００２２】
(第１特別入賞装置３５について)
前記第１特別入賞装置３５は、図２、図３に示すように、遊技領域２０ａに開口する第１特別入賞口 (図示せず)を開閉自在に閉成する開閉扉３８(開閉部材)を備えており、駆動手段としての図示しない第１特別入賞ソレノイドの駆動に伴って開閉扉３８が揺動変位することで第１特別入賞口が開閉するようよう構成されている。なお図２では、前記開閉扉３８により第１特別入賞口が閉鎖された状態を示している。また、前記第１特別入賞装置３５には、前記第１特別入賞口に入賞したパチンコ球を検出する図示しない第１特別入賞球検出センサが設けられている。前記第１特別入賞球検出センサは、前記制御装置に配線接続されており、該第１特別入賞球検出センサから制御装置への入賞検出信号の入力に伴って所定数の賞球が払い出されるようになっている。
【００２３】
(枠状装飾体４０について)
前記枠状装飾体４０は、図２〜図４に示すように、前記第１装着口２２ａに沿って延在する環状に形成され、内側に前後に開口する前記表示窓口４０ａを画成する環状の固定板４１と、該固定板４１の前面側に設けられて遊技盤２０の前面より前方に突出する庇状部４２とを備えており、前記遊技領域２０ａに発射されたパチンコ球を庇状部４２に沿って枠状装飾体４０の左右側部へ案内することで、該パチンコ球が表示窓口４０ａを横切って流下するのを規制している。また、前記枠状装飾体４０の左側部には、前記庇状部４２の左下端部の下方位置に設置部４９が形成されており、前記遊技領域２０ａを流下するパチンコ球が入賞可能な第２特別入賞装置(入賞装置)５０が該設置部４９に後方から着脱可能に配設されている。なお、前記庇状部４２は、前記第２特別入賞装置５０の上部位置から固定板４１の上縁部を介して右下端部に亘って延在するよう設けられている。また、前記枠状装飾体４０(固定板４１)の前面には、前記庇状部４２の左下端部位置に、前記遊技領域２０ａを流下するパチンコ球を前記第２特別入賞装置５０の第２特別入賞口５１へ誘導する誘導片４３(図４参照)が下方へ延在するよう設けられている。そして、前記固定板４１の裏側には、前記第１装着口２２ａに内挿される内周壁部が形成されている。
【００２４】
ここで、図４に示すように、前記枠状装飾体４０を遊技盤２０に取り付けた状態では、該枠状装飾体４０の上部から右下部に亘って延在する庇状部４２と、前記案内レール２１とが一列でパチンコ球が通過可能な程度の隙間で離間すると共に、該庇状部４２の右下端部が前記遊技領域２０ａの下端部近傍まで延在するよう構成されている。従って、前記遊技領域２０ａに発射されて枠状装飾体４０の右側部を流下したパチンコ球は、前記始動入賞装置３０、第１特別入賞装置３５および第２特別入賞装置５０の何れにも入賞する可能性が殆どない。すなわち、実施例のパチンコ機１０では、パチンコ球が枠状装飾体４０の左側部を流下するよう打球力を調整して遊技を行う所謂「左打ち」タイプの遊技機として構成されている。
【００２５】
図４に示すように、前記枠状装飾体４０における前記第２特別入賞装置５０が設置される左側部には、該第２特別入賞装置５０の下方位置に、前記遊技領域２０ａ内に球導入口４４ａが開口する球導入部４４が前記固定板４１の前面側に設けられると共に、該球導入部４４と対応する位置に、前後に開口する通孔４１ａ(図６参照)が開設されている。また、前記枠状装飾体４０には、前記球導入部４４に連通する通孔の下方に、該枠状装飾体４０(固定板４１)の表示窓口４０ａの開口縁に沿って下方へ延在する球誘導通路４５が設けられると共に、該枠状装飾体４０(固定板４１)の下部(開口下縁部)に、球誘導通路４５の球通出口(図示せず)に連通するステージ４６が設けられており、該球誘導通路４５を通過したパチンコ球がステージ４６上を左右に転動して最終的に遊技領域２０ａへ排出されるよう構成されている。すなわち、実施例では、前記球導入部４４、球誘導通路４５およびステージ４６の夫々が、遊技領域２０ａ内に開口した球導入口４４ａを介して一時的に受け入れたパチンコ球を遊技領域２０ａへ排出する球流路として機能している。なお、前記ステージ４６には、ステージ４６上を転動したパチンコ球が前記始動入賞装置３０における上側の始動入賞口３１ａへ向けて排出される第１球排出部と、該上側の始動入賞口３１ａの側方へ向けて排出される第２球排出部が設けられている。なお、前記枠状装飾体４０におけるステージ４６の形成位置には、前記表示窓口４０ａの内側へのパチンコ球の移動を規制する規制壁４０ｃ(図２、図４参照)が設けられており、該ステージ４６上を転動するパチンコ球が後方(遊技盤２０の裏側)へ移動するのを防止している。
【００２６】
ここで、前記球誘導通路４５の上端部は、図６に示すように、前記球導入部４４に対応した通孔４１ａの後方位置で後方に開口するよう構成されている。そして、前記球誘導通路４５の後方開口が前記第２特別入賞装置５０に形成された通路画成壁７４(後述)で塞がれて、前記球導入部４４を通過したパチンコ球を球誘導通路４５へ案内するようになっている。
【００２７】
(球通過ゲート４７について)
図４、図５、図８に示すように、前記枠状装飾体４０の左側部には、前記庇状部４２の左下端部の側方位置に、左方向へ突出する延出片４０ｂが形成されると共に、該延出片４０ｂの前面に、遊技領域２０ａを流下するパチンコ球が通過可能な球通過ゲート４７が設けられている。すなわち、前記球通過ゲート４７は、前記庇状部４２から左方向へ離間した位置に設けられている。この球通過ゲート４７には通過球検出センサ４８(図８参照)が配設されており、該球通過ゲート４７を通過するパチンコ球を通過球検出センサ４８で検出するよう構成されている。前記通過球検出センサ４８は、前記制御装置に配線接続されており、該通過球検出センサ４８から制御装置への球検出信号の入力(すなわちパチンコ球の検出)に伴って普図当り抽選が行われ、該普図当り抽選の結果に応じて前記始動入賞装置３０の始動入賞ソレノイドが駆動制御されて羽根部材３３,３３が開閉動作するようになっている。
【００２８】
ここで、前記球通過ゲート４７は、前記庇状部４２(誘導片４３)との間を１個のパチンコ球が通過可能な距離だけ離間する位置に形成され、該球通過ゲート４７の形成位置(庇状部４２の左下端部)より下方側に前記第２特別入賞装置５０が近接位置するよう構成されている。そして、前記遊技盤２０における前記枠状装飾体４０の左側部には、前記球通過ゲート４７の上流側に植設された遊技釘２４により、球通過ゲート４７および枠状装飾体４０(庇状部４２)の間を通過して前記第２特別入賞装置５０へ向けてパチンコ球が流下する第１上流経路２６ａと、当該球通過ゲート４７へ向けてパチンコ球が流下する第２上流経路２６ｂと、球通過ゲート４７および案内レール２１の間をパチンコ球が流下する第３上流経路２６ｃとが形成されて、遊技領域２０ａ内を不規則に流下するパチンコ球の流下速度や流下方向等に応じて第１〜第３上流経路２６ａ〜２６ｃの何れかを通るよう構成されている。また、前記球通過ゲート４７の下流側には、前記第２特別入賞装置５０へ向けてパチンコ球が流下する第１下流経路２７ａと、該第２特別入賞装置５０から離れる方向へパチンコ球が流下する第２下流経路２７ｂとが設けられるよう遊技釘２４が植設されており、該球通過ゲート４７を通過したパチンコ球が第１下流経路２７ａまたは第２下流経路２７ｂの何れかに自然に振り分けられるようになっている。すなわち、前記遊技盤２０の遊技領域２０ａに発射されたパチンコ球は、前記球通過ゲート４７を通過する前後において第２特別入賞装置５０へ向けて流下する機会があり、該遊技領域２０ａを流下するパチンコ球が第２特別入賞装置５０へ案内される頻度が高くなるようになっている。
【００２９】
(第２特別入賞装置５０について)
次に、前記枠状装飾体４０の設置部４９に配設される前記第２特別入賞装置５０について説明する。前記第２特別入賞装置５０は、図７〜図１０に示すように、前記枠状装飾体４０の設置部４９に着脱可能に取り付けられるケース体(基体部)５７と、該ケース体５７の前面側に設けられて遊技領域２０ａ(第１上流経路２６ａおよび第１下流経路２７ａ)を流下するパチンコ球が入賞可能な第２特別入賞口(入賞口)５１と、当該ケース体５７の前面側に設けられ、第２特別入賞ソレノイド(駆動手段)５２の駆動により第２特別入賞口５１を開閉する特別入賞口開閉部材(開閉部材)５３と、第２特別入賞口５１に連通してパチンコ球を排出案内する特別入賞球排出通路８０と、当該第２特別入賞口５１に入賞したパチンコ球を検出する第２特別入賞球検出センサ５５(球検出センサ)とを備えたユニット部材として構成されている。すなわち、前記第２特別入賞口５１は、前記枠状装飾体４０において前記球導入口４４ａ(球導入部４４)が形成された側部側に、前記庇状部４２の左下端部より下方に位置するよう設けられている。
【００３０】
(特別入賞口開閉部材５３について)
前記特別入賞口開閉部材５３は、図９、図１０に示すように、前記ケース体５７(後述する第１ケース部５８の軸孔５９)に回転可能に支持される回転軸５４の前端部に固定され、回転軸５４から径方向外方へ延在する球受け片(開閉部)５３ａと、同様に当該回転軸５４から径方向外方へ延在する装飾部５３ｂ,５３ｃとを備えている。ここで、前記装飾部５３ｂ,５３ｃは、前記回転軸５４から前記受け片５３ａの延在方向に延在して前記受け片５３ａの前面側に位置する第１装飾部５３ｂと、該回転軸５４を挟んで受け片５３ａ(第１装飾部５３ｂ)の延在方向と反対方向へ延在する第２装飾部５３ｃとからなり、特別入賞口開閉部材５３の前面意匠を形成している。すなわち、実施例の特別入賞口開閉部材５３では、前記回転軸５４を中心として径方向一方側に受け片５３ａおよび第１装飾部５３ｂが延在し、回転軸５４を中心として径方向他方側に第２装飾部５３ｃが延在しており、前記第２特別入賞ソレノイド５２の駆動に伴い回転軸５４を中心として前記受け片５３ａが第２特別入賞口５１を閉鎖する閉鎖位置および当該受け片５３ａが第２特別入賞口５１を開放する開放位置に回転変位するようになっている。
【００３１】
前記装飾部５３ｂ,５３ｃは、適宜の意匠形態に形成された意匠部であって、実施例では前記ケース体５７に設けられた意匠体６６との組み合わせで１つの意匠(実施例では龍の頭部を模した意匠)を形成するようになっている。具体的には、前記特別入賞口開閉部材５３の装飾部５３ｂ,５３ｃが龍頭部の上顎意匠をなすと共に、意匠体６６が龍頭部の下顎意匠をなしており、該特別入賞口開閉部材５３の開閉動作により龍の口が開閉する様子を表現している。
【００３２】
ここで、前記閉鎖位置では、前記回転軸５４を中心として前記受け片５３ａが起立するよう上方へ延在すると共に第２装飾部５３ｃが回転軸５４を中心に垂下する姿勢に保持され(図５(a)、図１１(a)参照)、前記開放位置では、回転軸５４を中心として前記受け片５３ａが左方向へ傾斜する姿勢に保持される(図５(b)、図１１(b)参照)。そして、実施例の特別入賞口開閉部材５３は、前記開放位置に回転変位した状態で重心が回転軸５４よりも右側に偏倚するようになっており、該特別入賞口開閉部材５３の自重により閉鎖位置へ向けて回転させる回転力が作用するようになっている。また、前記特別入賞口開閉部材５３における第２装飾部５３ｃの裏側には、後方へ突出する突出部(錘部)５３ｄが設けられており、特別入賞口開閉部材５３が開放位置に変位した際に、閉鎖位置へ向けて回転させる回転力がより大きく作用するようになっている。また、前記突出部５３ｄは、前記閉鎖位置において前記ケース体５７に当接係合するよう構成されており、前記特別入賞口開閉部材５３を閉鎖位置に停止保持するストッパとしての機能を有している。
【００３３】
(ケース体５７について)
前記第２特別入賞装置５０のケース体５７は、図８、図９に示すように、前記設置部４９に取り付けられる第１ケース部５８と、該第１ケース部５８の裏側に取り付けられる第２ケース部６８と、該第２ケース部６８の裏側に取り付けられる第３ケース部７６とから構成されて、該第１ケース部５８においてケース体５７の前面をなす前面板５８ａの前側に前記第２特別入賞口５１が形成されている。ここで、前記第２特別入賞口５１は、前記枠状装飾体４０の設置部４９に第２特別入賞装置５０(ケース体５７)を取り付けた状態で、該枠状装飾体４０の左側部における上下の略中央に位置するよう構成されている。なお、実施例のケース体５７を構成する第１〜第３ケース部５８,６８,７６の夫々は、合成樹脂製の透明部材である。また、前記ケース体５７は、前記設置部４９に取り付けた状態で、第１ケース部５８の前面板５８ａ(ケース体５７の前面)が前記枠状装飾体４０(固定板４１)の開口内側に臨むと共に、該第１ケース部５８の前面板５８ａ(ケース体５７の前面)が枠状装飾体４０の固定板４１の前面と略同一面上に位置するよう構成されて、前記遊技領域２０ａ(第１上流経路２６ａおよび第２下流経路２７ｂ)を流下するパチンコ球が第１ケース部５８の前面に移動し得るようになっている。言い換えると、前記第１ケース部５８の前面板５８ａが、前記第１上流経路２６ａおよび第２下流経路２７ｂの背面を形成している(図５参照)。
【００３４】
(第１ケース部５８について)
前記第１ケース部５８には、図９、図１０に示すように、平板状の前面板５８ａの外周縁部から第１外周壁部５８ｂが延出する後方へ開口した箱体状に形成されている。前記第１ケース部５８には、前後に貫通する軸孔５９が形成されており、該軸孔５９に前記特別入賞口開閉部材５３に固定された回転軸５４が挿通されている。また、前記第１ケース部５８の前面板５８ａには、前記軸孔５９から離間する位置に、該軸孔５９の上方および右方に亘って延在する円弧状の入賞口区画壁６０が前方へ突出するよう設けられている。すなわち、前記特別入賞口開閉部材５３に設けられた受け片５３ａと、前記入賞口区画壁６０とにより前記第２特別入賞口５１が画成され、前記回転軸５４を中心とした特別入賞口開閉部材５３の揺動に伴って該第２特別入賞口５１が開閉されるようになっている(図１１参照)。ここで、図１１に示すように、前記入賞口区画壁６０の上端部は、前記枠状装飾体４０に設けられた誘導片４３の下端部と略整合するよう構成されており、前記第１上流経路２６ａおよび第２下流経路２７ｂを流下するパチンコ球が入賞口区画壁６０と誘導片４３との間を通過しないよう構成されている。また、前記特別入賞口開閉部材５３が閉鎖位置に保持された状態では、前記受け片５３ａの自由端部が前記入賞口区画壁６０の上端部に当接するようになっている。
【００３５】
前記第１ケース部５８における前記入賞口区画壁６０の下端部側には、後方へ開口するセンサホルダ６１が軸孔５９(回転軸５４)の右側方に隣接して設けられており、長手方向を前後(回転軸５４の軸方向)に延在させた姿勢で前記第２特別入賞球検出センサ５５をセンサホルダ６１に差し込んで設置するよう構成されている。すなわち、前記特別入賞口開閉部材５３に近接(隣接)して第２特別入賞球検出センサ５５が配置されて、第２特別入賞口５１に入賞したパチンコ球が第２特別入賞球検出センサ５５で速やかに検出されるようになっている。なお、前記センサホルダ６１の前端部には、前記第２特別入賞球検出センサ５５の前方移動を規制する前規制部６１ａが設けられている。また、前記第２特別入賞球検出センサ５５は、パチンコ球が通過する検出孔５５ａが前記第１ケース部５８の前面板５８ａより前方に位置するよう設置される。なお、前記第２特別入賞球検出センサ５５は前記制御装置に配線接続されており、該第２特別入賞球検出センサ５５の検出に伴い所定数のパチンコ球が賞球として払い出されるようになっている。
【００３６】
そして、図９，図１０、図１２に示すように、前記センサホルダ６１の下方位置に、前記特別入賞球排出通路８０を構成する後方案内樋６３が第１ケース部５８の前面板５８ａを挟んで前後に延在するよう形成されている。前記後方案内樋６３は、前記前面板５８ａの前側で上方(センサホルダ６１側)に開口しており、前記特別入賞球検出センサで検出されたパチンコ球を第２特別入賞装置５０(枠状装飾体４０)の裏側へ排出案内するようになっている。また、前記後方案内樋６３は、前記前面板５８ａの後側において後方および左側方へ開口するよう構成されており、該後方案内樋６３の側方開口に、前面板５８ａの裏側に形成された第１側方案内樋６４が連通している。この第１側方案内樋６４は、後方案内樋６３との連通位置から左方向へ向けて下方傾斜するよう形成されており、前記前面板５８ａの後側に形成された縦樋６５が該第１側方案内樋６４の下流端部に連通するよう構成されている。
【００３７】
また、図１０、図１２に示すように、前記第１側方案内樋６４および縦樋６５の夫々は、全体が後方へ開口する断面コ字状に形成されており、前記第１ケース部５８と第２ケース部６８とを組み付けることで、各樋の後方開口が塞がれて第１側方案内樋６４に対応する第１側方案内通路６４ａおよび縦樋６５に対応する縦通路６５ａが夫々画成されるようになっている。なお、前記第１側方案内通路６４ａおよび縦通路６５ａの夫々は、前記前面板５８ａの後方に位置するよう構成されると共に、該前面板５８ａにおける該通路６４ａ,６５ａの前面側に、着色等の目隠しが施されており、当該通路６４ａ,６５ａを前側から直接視認し得ないようになっている。
【００３８】
更に、図５、図８に示すように、前記第１ケース部５８の前面板５８ａには、前記軸孔５９の下方位置に、意匠体６６が前記後方案内樋６３の左側方に位置するよう取り付けられている。ここで、実施例の意匠体６６は、前記特別入賞口開閉部材５３と合わせて１つの意匠(実施例では龍の頭部を模した意匠)を構成している。
【００３９】
また、図１１に示すように、前記特別入賞口開閉部材５３は、前記閉鎖位置にある状態および開放位置にある状態の何れの状態にあっても、前記センサホルダ６１に設置された前記第２特別入賞球検出センサ５５の前側が特別入賞口開閉部材５３(第２装飾部５３ｃ)で覆われる形態で形成されている。すなわち、前記特別入賞口開閉部材５３が閉鎖位置および開放位置に回転変位する間、前記第２特別入賞球検出センサ５５が特別入賞口開閉部材５３(第２装飾部５３ｃ)の後方に位置して、遊技盤２０の前側から直接目視されないよう構成されている。また、前記特別入賞球排出通路８０の後方案内樋６３は、前記閉鎖位置にある状態において前記特別入賞口開閉部材５３(第２装飾部５３ｃ)の後方に位置して前側から視認不能に遮蔽されるようになっている。一方、前記特別入賞口開閉部材５３が開放位置に回転変位した際には、前記後方案内樋６３(後方案内通路６３ａ)よりも上方まで特別入賞口開閉部材５３(第２装飾部５３ｃ)が移動するよう構成されて、該後方案内樋６３(後方案内通路６３ａ)の前端部が前側に露出して当該後方案内通路６３ａを通過するパチンコ球を視認し得るようになっている。
【００４０】
また、図１１に示すように、前記ケース体５７(第１ケース部５８)には、前記軸孔５９の左側方位置に、左方向へ向かうにつれて下方傾斜する球案内壁６２が前方へ突出するよう設けられている。前記球案内壁６２の傾斜下端部は、前記枠状装飾体４０に設けられた前記球導入部４４の上端部と略整合するよう構成されて、前記第２特別入賞口５１に入賞することなく前記第１上流経路２６ａおよび第２下流経路２７ｂを流下したパチンコ球を、前記球導入口４４ａの開設位置へ案内するよう構成されている。
【００４１】
(第２ケース部６８について)
前記第２ケース部６８は、図９、図１０、図１３に示すように、前記第１ケース部５８の前面板５８ａと略整合する平板状に形成された設置板６８ａを備え、第１ケース部５８の第１外周壁部５８ｂの後端部に設置板６８ａを当接させた状態で、第１ケース部５８および第２ケース部６８が固定される。すなわち、前記第１ケース部５８の後方開口が第２ケース部６８の設置板６８ａで塞がれるようになっている。なお、前記第２ケース部６８における設置板６８ａの右側外周縁部(表示窓口４０ａの開口内側に位置する縁部)には、後方へ延出する第２外周壁部６８ｂが形成されており、該第２外周壁部６８ｂが第２ケース部６８の剛性を高める補強部材として機能すると共に前記第２特別入賞ソレノイド５２や作動機構８２,８６の目隠しとして機能している。
【００４２】
前記第２ケース部６８の設置板６８ａには、図９、図１０に示すように、前記第１ケース部５８の軸孔５９と整列する位置に、前後に貫通する軸挿通孔６９が形成されており、該軸孔５９に挿通された回転軸５４が軸挿通孔６９を介して第２ケース部６８の後方まで突出するようになっている。なお、図中の符号５４ａは、前記回転軸５４の軸受け部材である。また、前記第２ケース部６８の設置板６８ａには、前記センサホルダ６１と整列する位置に、第２特別入賞球検出センサ５５を挿通可能なセンサ挿通孔７０が開設されている。すなわち、前記第１ケース部５８と第２ケース部６８とを組み付けた状態で、前記センサ挿通孔７０を介して第２ケース部６８の後方から第２特別入賞球検出センサ５５を差し込むことで、第２特別入賞球検出センサ５５をセンサホルダ６１に設置し得るようになっている。なお、実施例では、前記軸挿通孔６９とセンサ挿通孔７０とが連続的に形成されて、回転軸５４と特別入賞球検出センサとが近接位置するよう構成されている。また、前記設置板６８ａにおいて前記第１ケース部５８の縦樋６５の下端部に整列する位置に、前後に開口する球通過孔７１が形成されている。
【００４３】
そして、図１０に示すように、前記第２ケース部６８の設置板６８ａにおける後面側には、前記軸挿通孔６９(回転軸５４)の上方位置に、前記第２特別入賞ソレノイド５２が取り付けられている。前記第２特別入賞ソレノイド５２は、プランジャ５２ａを下方側に位置させた姿勢で前記ケース体５７(第２ケース部６８)に設置されており、該第２特別入賞ソレノイド５２への通電に伴いプランジャ５２ａが上方移動し、通電停止に伴いプランジャ５２ａが下方移動するよう構成されている。なお、図９、図１０における符号５２ｂは、前記第２特別入賞ソレノイド５２を固定する金属製のソレノイド固定部材である。そして、前記プランジャ５２ａおよび可動軸の後端部に設けられた作動機構８２,８６(後述)を介して前記第２特別入賞ソレノイド５２と前記特別入賞口開閉部材５３とが連繋接続するよう構成されて、前記制御装置が第２特別入賞ソレノイド５２の通電制御することで特別入賞口開閉部材５３が第２特別入賞口５１を開閉するようになっている。
【００４４】
また、図９、図１０に示すように、前記第２ケース部６８における設置板６８ａの前面には、前記軸挿通孔６９の左上部位置に、前方へ光を照射するＬＥＤ７２ａ(発光体)を実装したＬＥＤ基板７２が取り付けられている。また、前記ＬＥＤ基板７２の前側には、前記ＬＥＤ基板７２のＬＥＤ７２ａの光を拡散する光拡散加工が施された光拡散部材７３が設置されて、前記第１ケース部５８と第２ケース部６８とを組み付けた際に、両ケース部５８,６５の間に画成される空間内にＬＥＤ基板７２および光拡散部材７３が収容されるようになっている(図１０、図１７参照)。
【００４５】
ここで、前記ＬＥＤ基板７２(光拡散部材７３)は、前記第１ケース部５８の前面板５８ａにおいて前記第１上流経路２６ａおよび第１下流経路２７ａの背面をなす部位に対向するよう構成され、該ＬＥＤ基板７２のＬＥＤ７２ａの発光により第１上流経路２６ａおよび第１下流経路２７ａを発光装飾するようになっている。実施例では、前記第２特別入賞装置５０を開放する大当りの発生時に、前記ＬＥＤ基板７２のＬＥＤ７２ａを発光させるよう前記制御装置が発光制御するよう構成されており、パチンコ球の発射位置を遊技者が容易に理解し得るようになっている。
【００４６】
また、図９、図１０に示すように、前記第２ケース部６８の左下端部には、前記球導入部４４の後方開口と前後に整列する位置に、左方向へ延出する通路画成壁７４が形成されている。前記通路画成壁７４は、前記第２特別入賞装置５０を枠状装飾体４０の設置部４９に取り付けた際に、前記球誘導通路４５の上端部に形成された後方開口端部に当接して、該球誘導通路４５を塞ぐよう構成されており、該通路画成壁７４が球誘導通路４５の一部を画成している(図６参照)。また、前記通路画成壁７４は、前記特別入賞球排出通路８０における第２側方案内通路７８ａ(後述)の前面を画成しており、該通路画成壁７４が球誘導通路４５を画成する壁部と第２側方案内通路７８ａを画成する壁部とを兼用している。更に、前記通路画成壁７４の前面には、前記球導入部４４の後方開口と前後に整列する位置に、後方へ向かうにつれて下方傾斜する傾斜案内部７４ａが設けられており、該球誘導通路４５を通過したパチンコ球を下方(球誘導通路４５の延在方向)へ誘導するよう構成されている。
【００４７】
(第３ケース部７６について)
前記第３ケース部７６は、図９、図１０に示すように、前記第２ケース部６８の設置板６８ａとの間に前記作動機構８２,８６を収容する機構収容部７７と、前記特別入賞球排出通路８０を構成する第２側方案内通路７８ａを画成する第２側方案内樋７８とを備えている。前記機構収容部７７は、前記作動機構８２,８６の後方および左右側方を囲繞する枠形状に形成され、前面に前側(作動機構８２,８６側)へ延出する支持片７７ａが設けられている。前記支持片７７ａは、前記作動機構８２,８６を構成する作動部材８６がロック位置(後述)に移動した際に、該作動部材８６が当接するようになっており、該作動部材８６をロック位置で停止保持させるストッパとして機能するものである。また、前記第２側方案内樋７８は、前方へ開口する樋状に形成されて、前記第２ケース部６８に形成された前記球通過孔７１と前後に整列する位置から左方へ延在するよう構成されている。そして、前記第２ケース部６８と第３ケース部７６とを組み付けることで、前記第２側方案内樋７８の前方開口が前記通路画成壁７４により閉塞されて、前記第２側方案内通路７８ａが画成されるようになっている。
【００４８】
ここで、前記第２側方案内樋７８(第２側方案内通路７８ａ)は、図３、図１７に示すように、前記枠状装飾体４０の左側端部位置で左方向に開口するよう構成されて、該第２側方案内樋７８の左開口を排出口７９としてパチンコ球が第２特別入賞装置５０から排出されるようになっている。そして、前記特別入賞球排出通路８０(第２側方案内通路７８ａ)の排出口７９が前記設置部材９５に設けられた球排出案内通路１０２,１１３(後述)の球入口１０４ａに連通するよう構成されて、第２特別入賞口５１に入賞したパチンコ球が特別入賞球排出通路８０および球排出案内通路１０２,１１３を介して遊技盤２０の下方へ排出されるようになっている。また、実施例における第２側方案内樋７８(第２側方案内通路７８ａ)の前側に、前記第２特別入賞装置５０の第１ケース部５８および第２ケース部６８が位置すると共に、前記枠状装飾体４０が位置して、第２側方案内樋７８を前側から視認し得ないよう構成されている。
【００４９】
(特別入賞口開閉部材５３の作動機構８２,８６について)
次に、前記特別入賞口開閉部材５３を開閉する作動機構８２,８６について説明する。前記作動機構８２,８６は、図９、図１０、図１３〜図１５に示すように、前記特別入賞口開閉部材５３の回転軸５４に取り付けられ、該特別入賞口開閉部材５３と一体的に閉鎖位置および開放位置に回転変位する連繋部材８２と、前記第２特別入賞ソレノイド５２のプランジャ５２ａに取り付けられ、該連繋部材８２に連繋接続する作動部材８６とから構成される。すなわち、前記第２特別入賞ソレノイド５２の作動に伴い前記作動部材８６が上下移動することで、前記連繋部材８２が回転変位し、該連繋部材８２の回転変位伴い前記特別入賞口開閉部材５３が閉鎖位置および開放位置に変位するようになっている。
【００５０】
(連繋部材８２について)
図１３に示すように、前記連繋部材８２は、前記回転軸５４に固定される固定軸部８３から径方向へアーム部８３ａが延出するよう形成されると共に、該アーム部８３ａの延出端部に、後方へ突出する連繋軸部８４(連繋部)が形成されている。ここで、前記アーム部８３ａは、前記特別入賞口開閉部材５３が閉鎖位置にある状態で、前記回転軸５４から側方(図１３、図１５(a)では左側方)へ延在するよう形成されており、該特別入賞口開閉部材５３が開放位置へ回転変位するのに伴い回転軸５４を中心として上方傾斜(図１５(b)では左上方傾斜)するようになっている。また、前記連繋部材８２には、前記特別入賞口開閉部材５３が閉鎖位置にある状態において、前記回転軸５４の下方位置に、後方へ突出する規制突部(規制部)８５が後方へ突出するよう形成されている。なお、前記規制突部８５は、前記回転軸５４の近傍に設けられており、前記特別入賞口開閉部材５３が閉鎖位置および開放位置に変位する際に規制突部８５が回転変位する変位量が小さくなるよう構成されている。
【００５１】
(作動部材８６について)
また、前記作動部材８６は、図１３〜図１５に示すように、前記プランジャ５２ａが連結される連結部８７と、該連結部８７から下方へ延在する支持板８８とを備えており、前記第２特別入賞ソレノイド５２の駆動に伴い前記特別入賞口開閉部材５３の開放を規制するロック位置と、該特別入賞口開閉部材５３の開放位置に対応した作動位置の間を直線的に往復移動するよう構成されている。ここで、前記第２特別入賞ソレノイド５２の通電を停止してプランジャ５２ａが下方移動することで、前記作動部材８６がロック位置(図１３参照)に変位する。そして、第２特別入賞ソレノイド５２に通電してプランジャ５２ａが上方移動することで、前記作動部材８６が作動位置(図１５(b参照)に変位するようになっている。すなわち、前記作動部材８６は、該作動部材８６およびプランジャ５２ａの自重により常にはロック位置へ付勢されており、前記第２特別入賞ソレノイド５２の通電停止時にプランジャ５２ａが下方へ突出するよう移動することで、自然にロック位置に保持されるよう構成されている。
【００５２】
また、図１３〜図１５に示すように、前記作動部材８６(支持板８８)には、前記連繋部材８２における連繋軸部８４の形成位置に、前後に開口する開閉作動孔８９(開閉作動部)が開設されている。そして、開閉作動孔８９に連繋軸部８４が前側から遊嵌されて、作動部材８６の上下移動に伴って開閉作動孔８９と連繋軸部８４とが係脱可能に係合するようになっている。ここで、前記作動部材８６がロック位置にある状態では、前記開閉作動孔８９の開口下縁部よりも前記連繋軸部８４が上方離間して係合解除され、該作動部材８６がロック位置および作動位置の間の後述するロック解除位置(図１５(a)参照)へ移動した際に、開閉作動孔８９の開口下縁部に連繋軸部８４が当接係合するよう構成されている。すなわち、前記作動部材８６がロック位置およびロック解除位置の間を移動する間は、前記連繋軸部８４が回転することなく保持され、作動部材８６がロック解除位置および作動位置の間を移動することで、前記開閉作動孔８９の開口縁との当接係合下で連繋軸部８４が回転変位されて、前記特別入賞口開閉部材５３が閉鎖位置および開放位置に変位するようになっている。
【００５３】
また、前記作動部材８６が前記ロック位置にある状態では、図１３に示すように、前記連繋部材８２の後方略全体が前記支持板８８で覆われるよう構成されている。そして、ロック位置にある状態において、前記支持板８８の前面側に前方へ突出するよう形成されたロック部８６ａが、前記閉鎖位置から開放位置へ移動する前記連繋部材８２における規制突部８５の回転方向前端部に当接するようになっている。また、前記作動部材８６がロック位置および作動位置の間のロック解除位置へ移動した状態では、前記連繋部材８２の規制突部８５が作動部材８６の下方に露出して、前記ロック部８６ａと規制突部８５との係合が解除されるように構成される。すなわち、前記作動部材８６がロック位置にある状態では、前記ロック部８６ａと規制突部８５の当接係合下において前記特別入賞口開閉部材５３の閉鎖位置から開放位置への変位が規制され、作動部材８６がロック解除位置に移動してロック部８６ａと規制突部８５の当接係合状態が解除されることで、特別入賞口開閉部材５３の閉鎖位置から開放位置への変位が許容されるようになっている。
【００５４】
すなわち、第２特別入賞装置５０の作動機構８２,８６では、前記第２特別入賞ソレノイド５２の通電が停止されて前記作動部材８６がロック位置にある状態では、前記開閉作動孔８９と連繋軸部８４との係合が解除されると共に前記規制突部８５とロック部８６ａとが係合して前記特別入賞口開閉部材５３の閉鎖位置から開放位置への変位を規制している。一方で、前記第２特別入賞ソレノイド５２に通電されて前記作動部材８６がロック位置から作動位置へ向けて変位する過程のロック解除位置に移動した状態で、前記規制突部８５とロック部８６ａとの係合が解除されると共に前記開閉作動孔８９と連繋軸部８４とが係合し、該ロック解除位置および作動位置の間での作動部材８６の変位に伴って、前記特別入賞口開閉部材５３が閉鎖位置から開放位置へ変位されるよう構成されている。
【００５５】
(普通入賞口部材９０について)
前記遊技盤２０の第３装着口２２ｃに配設される前記普通入賞口部材９０は、図２、図３に示すように、前記遊技盤２０の前面に取着されて前記第３装着口２２ｃを覆う薄板状の取着部材９１と、該取着部材９１に設けられて第３装着口２２ｃを介して遊技盤２０後方へ延在する複数(実施例では３つ)の球受け通路９２とを備えている。すなわち、前記普通入賞口部材９０は、遊技盤２０において、前記枠状装飾体４０に対する前記第２特別入賞装置５０の配設側(左側)に偏った位置に設けられている。前記各球受け通路９２は、前記取着部材９１の前後に貫通するよう延在して、該取着部材９１の前側において上方に開口すると共に取着部材９１の後側で後方へ開口する樋形状に形成されている。すなわち、各球受け通路９２において取着部材９１(遊技盤２０の前面)から前方へ突出した突出部５３ｄ分の上方開口部が、前記遊技領域２０ａを流下するパチンコ球が入賞可能な普通入賞口(第２の入賞口)９２ａとして機能する。また、前記各球受け通路９２の後端部は、前記設置部材９５に設けられた第２球通路部材１１１の普通入賞球排出通路１１２(後述)に連通接続するよう構成されており、各普通入賞口９２ａに入賞したパチンコ球を対応の球受け通路９２を介して普通入賞球排出通路１１２に誘導して遊技盤２０の外部に排出するよう構成されている。
【００５６】
(設置部材９５について)
次に、前記設置部材９５に関して説明する。前記設置部材９５は、前記遊技盤２０に対向する略矩形状の対向面部９６(図３、図１７参照)と、該対向面部９６の外周縁部から前方に突出する上下左右の画壁部９７ａ,９７ｂ,９７ｃとから前方に開口する箱状に形成されて、該画壁部９７ａ,９７ｂ,９７ｃの開口前端部を遊技盤２０の裏面に当接させた状態で、設置部材９５が遊技盤２０にネジ固定される。なお、下面をなす画壁部については図示省略してある。そして、前記設置部材９５において前記遊技盤２０との間に画成される空間に、各演出装置や発光装置等の遊技部品が設置されて、設置部材９５を基材とする単一のユニットとして扱い得るようになっている。また、前記設置部材９５の対向面部９６には、前記枠状装飾体４０の表示窓口４０ａと前後に整列する位置に、略矩形状の表示開口部９５ａが前後に開口するよう開設されると共に、該対向面部９６の裏側に前記図柄表示装置１８が着脱自在に取り付けられて、該表示開口部９５ａおよび表示窓口４０ａを介して図柄表示装置１８の表示部が遊技盤２０の前側に臨むようになっている。なお、前記設置部材９５には、前記表示開口部９５ａの上方位置および左右側方位置に前記遊技部品としての演出装置１００が夫々配設されている(図２、図３参照)。
【００５７】
また、前記設置部材９５には、図３に示すように、前記左側演出装置１００の前方に、前記第２特別入賞装置５０に設けた特別入賞球排出通路８０に連通する第１球排出案内通路(第２球排出通路)１０２が形成された第１球通路部材１０１が配設されている。また、前記設置部材９５における前記普通入賞口部材９０の後方位置には、前記普通入賞口９２ａに連通する普通入賞球排出通路(下部球排出通路)１１２および前記第１球排出案内通路１０２に連通する第２球排出案内通路(第２球排出通路)１１３が形成された第２球通路部材１１１が配設されている。そして、前記設置部材９５の下面をなす画壁部の前端部側には、上下に開口する第１球排出口９８および第２球排出口９９が開設されており、普通入賞球排出通路１１２および第２球排出案内通路１１３の球出口が第１球排出口９８および第２球排出口９９に整合するよう構成されている。すなわち、前記第２特別入賞装置５０に入賞して特別入賞球排出通路８０を通過したパチンコ球は、前記第１球通路部材１０１の第１球排出案内通路１０２および第２球通路部材１１１の第２球排出案内通路１１３を介して遊技盤２０の下方へ排出されるようになっている。
【００５８】
(第１球通路部材１０１について)
前記第１球通路部材１０１は、図１７、図１８に示すように、前記設置部材９５に固定され、前方へ開口する樋状の球通路が画成される後半体１０１ａと、該後半体１０１ａの前側に配設されて球通路の前方開口を塞ぐ前半体１０１ｂとから構成され、前後の半体１０１ａ,１０１ｂを組み付けることで、前記第１球排出案内通路１０２が画成されている。ここで、前記第１球通路部材１０１に形成される第１球排出案内通路１０２としては、前記特別入賞球排出通路８０の排出口７９に連通し、左方向へ向けて下方傾斜して前記設置部材９５の左側面をなす画壁部９７ｂまで延在する上側傾斜通路(誘導通路)１０４と、該上側傾斜通路１０４の傾斜下端部に連通して左側面をなす画壁部９７ｂに沿って下方へ延在する側部通路(外周通路)１０５と、該側部通路１０５の下端部に連通して右方へ向けて下方傾斜する下側傾斜通路(外周通路)１０６とから構成されている。なお、前記側部通路１０５の内部に突条部１０５ａが突出するよう形成されており、該側部通路１０５を通過するパチンコ球が左右方向に僅かに蛇行するよう構成されている。そして、前記遊技盤２０と設置部材９５とを組み付けた際に、前記第１球排出案内通路１０２(上側傾斜通路１０４)の上流端部の開口が球入口１０４ａとして機能して、前記球誘導通路４５の球通出口に連通接続し、前記第２特別入賞装置５０に入賞したパチンコ球が第１球排出案内通路１０２へ移動し得るようになっている。
【００５９】
ところで、球通過ゲート４７を通過するパチンコ球を検出する通過球検出センサ４８からの検出信号は、前記始動入賞装置３０の羽根部材３３,３３を開放するか否かの普図当り抽選の契機となるので、パチンコ機１０において球通過ゲート４７に対する不正行為を検出する重要性が高い。また、前記枠状装飾体４０のステージ４６から排出されるパチンコ球は、該ステージ４６を通らずに遊技領域２０ａを流下するパチンコ球に比べて前記始動入賞口３１ａ,３１ｂへの入賞確率が高くなることから、遊技領域２０ａを流下するパチンコ球を取り込むための前記球導入口４４ａに対する不正行為を検出する重要性も高い。更に、実施例では、前記枠状装飾体４０に第２特別入賞装置５０が配設されていることから、該第２特別入賞装置５０に対する不正行為を検出する重要性も高い。
【００６０】
そこで、実施例に係るパチンコ機１０においては、前記第１球通路部材１０１に磁気センサ(不正検出センサ)１０８を配設して、前記球通過ゲート４７、球導入口４４ａおよび第２特別入賞装置５０に対する磁石による不正行為を共通して検出し得るよう構成されている。前記磁気センサ１０８は、図１９(c)に示す如く、略長方形状のケーシング１０９の内部に、その長手方向に沿う方向に延在する一対のリード片１０８ａ,１０８ａの一部を接離可能に対向配置して構成されたリードスイッチであって、ケーシング１０９の長手方向の一端からリード線が延出するよう構成される。
【００６１】
(センサ設置部１０７について)
前記第１球通路部材１０１(前半体１０１ｂ)には、図１８、図１９に示すように、前記上側傾斜通路１０４の上方側に、前記磁気センサ１０８を着脱可能に設置するセンサ設置部１０７が設けられている。前記センサ設置部１０７は、前記第１球通路部材１０１における前半体１０１ｂの上端部から上方へ延出するよう形成されると共に、前記上側傾斜通路１０４の傾斜下端部側に磁気センサ１０８の差込口１０７ｂが側方へ開設された収容部１０７ａを備えている。また、前記センサ設置部１０７における差込口１０７ｂ側端部には、弾性変形可能なフック状の保持片１０７ｃが形成されており、該差込口１０７ｂに差し込んだ磁気センサ１０８のケーシング１０９に保持片１０７ｃが弾性的に係脱自在に係合することでセンサ設置部１０７の収容部１０７ａに磁気センサ１０８が保持される。ここで、前記センサ設置部１０７には、リード片１０８ａ,１０８ａが前記上側傾斜通路１０４の延在方向に沿う傾斜姿勢で磁気センサ１０８が保持されるようになっている。また前記磁気センサ１０８は、リード片１０８ａ,１０８ａの延在方向が前記遊技盤２０の裏面と平行となる姿勢で前記センサ設置部１０７に保持されている。
【００６２】
また、前記センサ設置部１０７に保持された磁気センサ１０８は、図１７に示すように、前記遊技盤２０の裏側において、前記球導入口４４ａの上方でかつ前記第２特別入賞装置５０の左側方に位置すると共に、前記球通過ゲート４７の下方に位置するよう構成されている。ここで、前記センサ設置部１０７に取り付けた磁気センサ１０８の一部が、前記遊技盤２０の裏側において前記球導入口４４ａと、球通過ゲート４７と、第２特別入賞口５１とを結んだ領域(検出領域ＲＡという)の内側に位置するよう構成されて、該磁気センサ１０８の磁気検出範囲が検出領域ＲＡをカバーするようになっている(図１６参照)。
【００６３】
(第２球通路部材１１１について)
前記第２球通路部材１１１は、図３、図２０に示すように、前記設置部材９５に固定され、前方へ開口する樋状の球通路が画成される後半体１１１ａと、該後半体１１１ａの前側に配設されて球通路の前方開口を塞ぐ前半体１１１ｂとから構成され、前後の半体１１１ａ,１１１ｂを組み付けることで、前記普通入賞球排出通路１１２および第２球排出案内通路１１３が画成されている。ここで、前記第２球通路部材１１１に形成される普通入賞球排出通路１１２は、第２球排出口９９に連通する１つの球通路が前記普通入賞口９２ａへ向けて分岐するよう形成されると共に、該普通入賞球排出通路１１２の下流端部に普通入賞球検出センサが取り付けられて、各普通入賞口９２ａに入賞したパチンコ球を共通的に検出し得るよう構成されている。
【００６４】
また、図２０に示すように、前記第２球排出案内通路１１３は、前記第１球排出案内通路１０２の球出口と、前記設置部材９５に形成された第１球排出口９８とを連通接続するよう形成されると共に、前記普通入賞球排出通路１１２の上方に隣接する位置において階段状に下方傾斜するよう形成されている。すなわち、前記第２球排出案内通路１１３は、前記普通入賞球排出通路１１２の上方において前記枠状装飾体４０から最も離間する経路を辿るよう形成されて、該第２球排出案内通路１１３(第２球通路部材１１１)と枠状装飾体４０との間に各種遊技部品を配設し可能な空間を確保するようになっている。
【００６５】
(実施例の作用)
次に、前述のように構成された実施例に係るパチンコ機１０の作用につき説明する。
【００６６】
前記中枠１２の前面側に設けられた前記操作ハンドル１７を遊技者が回転操作すると、打球発射装置から発射されたパチンコ球が前記遊技盤２０に設けた案内レール２１により画成された遊技領域２０ａ内に打ち出されて、遊技釘２４等に接触して流下方向を変更しながら遊技領域２０ａ内を流下する。そして、前記遊技領域２０ａを流下するパチンコ球が前記始動入賞装置３０の上下の始動入賞口３１ａ,３１ｂに入賞することで、前記図柄表示装置１８での図柄変動演出が開始され、図柄変動演出の結果、図柄表示装置１８に所定の図柄組み合わせで飾図が表示されると大当りが発生し、大当りが発生する図柄の組み合わせに応じて、前記遊技盤２０に設けられた第１特別入賞装置３５または第２特別入賞装置５０が開放されると共に、図柄表示装置１８において大当り演出が行われる。
【００６７】
ここで、実施例のパチンコ機１０では、前記遊技盤２０と設置部材９５とを組み付けた状態で、前記センサ設置部１０７に取り付けた磁気センサ１０８の一部が、該遊技盤２０の裏側において球導入口４４ａと、球通過ゲート４７と、第２特別入賞装置５０の第２特別入賞口５１とを結んだ検出領域ＲＡの内側に位置し、球導入口４４ａ、球通過ゲート４７および第２特別入賞口５１の夫々が磁気センサ１０８の磁気検出範囲に覆われるよう構成されている。すなわち、複数の磁気センサ１０８を用いることなく広範囲の不正行為を検出することが可能となり、パチンコ機１０の製造コストを抑えることができる。また、磁気センサ１０８の一部が球導入口４４ａと、球通過ゲート４７と、第２特別入賞口５１とを結んだ検出領域ＲＡの内側に位置することで、これら球導入口４４ａ、球通過ゲート４７および第２特別入賞口５１に対する磁気を利用した不正行為の検出感度に偏りが生ずるのを抑制でき、各部の不正行為を効果的に検出可能になる。
【００６８】
また、前記センサ設置部１０７は、前記設置部材９５の開口前端部に、遊技盤２０の裏面に近接した位置で対向するよう配設された第１球通路部材１０１に設けられているから、磁気センサ１０８と遊技盤２０の前面との離間距離を短くできる。このため、磁気検出感度が比較的低い廉価な磁気センサ１０８を利用して磁気による不正行為を効果的に検出することができるから、感度の高い高価な磁気センサを採用する必要がなくコスト削減を図ることができる。また、前記センサ設置部１０７の差込口１０７ｂから磁気センサ１０８を差し込むだけで、該磁気センサ１０８を所定位置に簡単に位置決め保持することができ、パチンコ機１０毎に検出感度のバラツキが生ずるのを防止して、一定の検出感度を維持することができる。また、磁気センサ１０８がセンサ設置部１０７に収容保持されるから、該磁気センサ１０８を保護することができる。
【００６９】
また、前記磁気センサ１０８は、遊技盤２０に設けられた普通入賞口部材９０の上流側に配置されている。従って、普通入賞口９２ａの上流側でパチンコ球を意図的に集めて遊技釘２４間に詰まらせる所謂「ぶどう」を形成し、パチンコ球を始動入賞口３１ａ,３１ｂや普通入賞口９２ａへ故意に流下させてパチンコ球を入賞し易くする不正行為が行われた場合でも、球導入口４４ａ、球通過ゲート４７および第２特別入賞口５１に対する磁気を利用した不正行為を検出する前記磁気センサ１０８が併せて検出することができ、磁気センサ１０８の設置個数を低減することができ、一層のコスト削減を図ることができる。
【００７０】
ここで、前記枠状装飾体４０に配設される第２特別入賞装置５０では、前記第２特別入賞口５１に入賞したパチンコ球を、後方案内通路６３ａを介して枠状装飾体４０の後方まで一旦誘導し、その後に第１側方案内通路６４ａ、縦通路６５ａおよび第２側方案内通路７８ａを介して枠状装飾体４０の左側方へ誘導する特別入賞球排出通路８０が形成されている。これにより、前記遊技領域２０ａを流下するパチンコ球を一時的に取り込む球導入部４４(球導入口４４ａ)や球誘導通路４５、ステージ４６を枠状装飾体４０に設ける構成にあって、前記第２特別入賞装置５０を枠状装飾体４０の左側部の上下の略中央に配置して球導入部４４の上側に近接するよう構成した場合であっても、特別入賞球排出通路８０を介してパチンコ球を確実に排出案内することができる。これにより、枠状装飾体４０に対する第２特別入賞装置５０の設置位置の自由度を高めることができる。このとき、前記特別入賞球排出通路８０における第１側方案内通路６４ａ、縦通路６５ａおよび第２側方案内通路７８ａがケース体５７または枠状装飾体４０と前後に重なるから、これらの通路６４ａ,６５ａ,７８ａが遊技者側から見えることはなく、パチンコ機１０の見栄えが損なわれることはない。また、前記特別入賞球排出通路８０は、前記第２側方案内通路７８ａの排出口７９が枠状装飾体４０の側端部位置で開口するよう形成されているから、第２特別入賞装置５０を設置したまま枠状装飾体４０を遊技盤２０の第１装着口２２ａに対して着脱することができる。また、特別入賞球排出通路８０に連通する第１球排出案内通路１０２が設置部材９５に設けられているから、枠状装飾体４０に形成する特別入賞球排出通路８０を最小限にすることができる。
【００７１】
前記設置部材９５に設けられた第１球排出案内通路１０２は、前記特別入賞球排出通路８０から到来するパチンコ球を、上側傾斜通路１０４により設置部材９５の左側面をなす画壁部９７ｂまで誘導して、側部通路１０５および下側傾斜通路１０６を介して該画壁部９７ｂに沿って流下させるよう構成されている。これにより、前記第１球排出案内通路１０２を枠状装飾体４０から離間させることができ、該設置部材９５に対する枠状装飾体４０の左側周辺での各種遊技部品の設置スペースを確保することができる。また、前記第１球排出案内通路１０２に連通する第２球排出案内通路１１３を、普通入賞球排出通路１１２の上方を通過する位置において枠状装飾体４０から離間した経路を辿るよう形成したことで、設置部材９５に対する枠状装飾体４０の下側周辺での各種遊技部品の設置スペースを確保することができる。しかも、前記第１球排出案内通路１０２および第２球排出案内通路１１３の夫々は、前記設置部材９５の開口前端部側に位置しているから、該第１球排出案内通路１０２の後方に重なるよう遊技部品(左側演出装置１００)を設置でき、枠状装飾体４０に第２特別入賞装置５０を配設した構成であっても遊技演出の多様化を図ることができる。
【００７２】
また、前記枠状装飾体４０における球通過ゲート４７が形成される側部(左側部)に前記第２特別入賞装置５０を近接して設置した(球通過ゲート４７と庇状部４２との間にパチンコ球１個分の第１上流経路２６ａを形成した)ことで、該枠状装飾体４０の左右幅が不必要に大型化するのを防止できる。また、該球導入口４４ａ、球通過ゲート４７および第２特別入賞装置５０の夫々を枠状装飾体４０の左側部に纏めて配置してあるから、これらを分散して配置する構成に較べて枠状装飾体４０の表示窓口４０ａの開口領域が圧迫されることはなく、大きな図柄表示装置１８を採用することができ、多彩な遊技演出を行うことが可能である。また、前記遊技盤２０の遊技領域２０ａには、前記球通過ゲート４７の上流側に、該球通過ゲート４７および枠状装飾体４０の間を通過して第２特別入賞装置５０へ向けてパチンコ球が流下する第１上流経路２６ａと、当該球通過ゲート４７へ向けてパチンコ球が流下する第２上流経路２６ｂと、球通過ゲート４７および案内レール２１の間をパチンコ球が通過する第３上流経路２６ｃとを形成してあるから、枠状装飾体４０の表示窓口４０ａを最大限まで大きくして大きな図柄表示装置１８を採用することが可能となると共に、遊技領域２０ａを流下するパチンコ球の動きが単調になることはない。
【００７３】
また、球通過ゲート４７の下流側には、前記第２特別入賞装置５０へ向けてパチンコ球が移動する第１下流経路２７ａが形成されると共に、該第２特別入賞装置５０へパチンコ球が向かわない第２下流経路２７ｂが形成されているから、球通過ゲート４７を通過したパチンコ球の動きに変化を与えることができる。また、球通過ゲート４７の通過球検出センサ４８で検出されたパチンコ球が第２特別入賞装置５０へ向けて流下し得るから、球通過ゲート４７の上流側において第１上流経路２６ａへパチンコ球が移動しない場合でも、該パチンコ球が第２特別入賞装置５０に入賞する期待感を抱かせることができる。
【００７４】
また、実施例に係る第２特別入賞装置５０は、前記特別入賞口開閉部材５３や第２特別入賞ソレノイド５２、特別入賞球排出通路８０、第２特別入賞球検出センサ５５の夫々を１つのケース体５７に組み込んでユニット部材としたことで、前記枠状装飾体４０の設置部４９への組み付け作業性が高い。しかも、遊技に供された際に損傷し易い駆動部(第２特別入賞ソレノイド５２や作動機構８２,８６)を備えた第２特別入賞装置５０をユニット化することで、仮に駆動部に不具合が生じた場合でも第２特別入賞装置５０の全体を容易に交換することができ、メンテナンス性を高めて継続的に遊技に供することができる。
【００７５】
そして、前記第２特別入賞装置５０では、前記特別入賞口開閉部材５３が開放した状態では、前記後方案内通路６３ａが特別入賞口開閉部材５３の下方側に露出するようになっている。すなわち、第２特別入賞装置５０を開放する大当りでは、龍の頭部を模した意匠とされた特別入賞口開閉部材５３が開放することで龍が口を開ける動作を行うと共に、第２特別入賞口５１に入賞したパチンコ球が特別入賞口開閉部材５３とケース体５７に固定的に設けられた意匠体６６との間に位置する後方案内通路６３ａに移動することで、龍の口腔内に現れるように見せることができる。更に、前記後方案内通路６３ａから第１側方案内通路６４ａへパチンコ球が移動することで、龍の頭部を模した意匠の口腔内にパチンコ球が飲み込まれるよう錯覚させ得るから、第２特別入賞装置５０に入賞したパチンコ球の動きによって遊技の興趣を与えることができる。また、前記特別入賞口開閉部材５３の下方に表れる前記後方案内通路６３ａを見るだけで第２特別入賞口５１へのパチンコ球の入賞状況を遊技者が確認することができる。一方で、前記特別入賞口開閉部材５３が閉鎖位置にある状態では第２装飾部５３ｃの後方に後方案内通路６３ａが位置し、該第２装飾部５３ｃにより前側から視認不能に後方案内通路６３ａが覆われるから、装飾性を損なうことはない。
【００７６】
一方、前記第２特別入賞装置５０に配設された第２特別入賞球検出センサ５５は、前記特別入賞口開閉部材５３が閉鎖位置および開放位置の間で回転変位する際に、該特別入賞口開閉部材５３の第２装飾部５３ｃの後方に隠れるよう構成されている。従って、前記特別入賞口開閉部材５３が開閉動作した際に、前記第２特別入賞球検出センサ５５が遊技者側から視認されるのを防止でき、装飾性を損なうことはない。また、前記第２特別入賞球検出センサ５５を保持するセンサホルダ６１が前記特別入賞口開閉部材５３の回転軸５４に隣接(近傍)して形成されており、前記第２特別入賞口５１に入賞したパチンコ球を第２特別入賞球検出センサ５５で速やかに検出することができるから、前記第２特別入賞口５１への規定個数以上の入賞(オーバー入賞)の発生を効果的に防ぐことができる。このとき、前記第２特別入賞球検出センサ５５は、前記特別入賞口開閉部材５３の第２装飾部５３ｃで覆われるから、該第２特別入賞球検出センサ５５の前方に飾り部材等の目隠しを別途施す必要がなく、部品点数やコストを低減することができる。
【００７７】
また、前記第２特別入賞球検出センサ５５は、前記特別入賞口開閉部材５３の回転軸５４の軸方向に該センサ５５の長手方向を沿わせた姿勢で、該回転軸５４の側方に隣接して配設されているから、当該第２特別入賞球検出センサ５５を被覆するために第２装飾部５３ｃを過剰に大きくする必要がない。このため、第２装飾部５３ｃの形態の自由度が高く、第２特別入賞装置５０の意匠を適宜に決定することができる。
【００７８】
また、前記第２特別入賞装置５０では、前記第２特別入賞ソレノイド５２の非駆動時には作動部材８６がロック位置に変位し、該作動部材８６に設けられたロック部８６ａが規制突部８５に係合して特別入賞口開閉部材５３の閉鎖位置から開放位置への変位を規制するようになっている。従って、第２特別入賞ソレノイド５２の駆動によらず、不正器具等で特別入賞口開閉部材５３を直接開放するよう操作したとても第２特別入賞口５１を開放することができず、該特別入賞口開閉部材５３の不正開放を阻止することができる。また、この状態では前記作動部材８６に設けた開閉作動孔８９と連繋軸部８４との係合が解除されているから、特別入賞口開閉部材５３が不用意に開放位置へ変位するのを防止できる。
【００７９】
一方で、第２特別入賞ソレノイド５２の駆動に伴って作動部材８６がロック位置からロック解除位置に変位した場合には、前記規制突部８５とロック部８６ａとの係合が解除されると共に前記開閉作動孔８９と連繋軸部８４とが係合する。従って、ロック解除位置から作動位置へ向けて作動部材８６が更に変位することで特別入賞口開閉部材５３を開放することができる。すなわち、実施例に係る第２特別入賞装置５０では、前記第２特別入賞ソレノイド５２の駆動に依らない不正な特別入賞口開閉部材５３の開放動作を防止できる。また、特別入賞口開閉部材５３の回転軸５４に固定される連繋部材８２に連繋軸部８４および規制突部８５を設けると共に、第２特別入賞ソレノイド５２に配設される作動部材８６に開閉作動孔８９とロック部８６ａとを設けた簡易な構成で、該第２特別入賞ソレノイド５２の駆動に伴い特別入賞口開閉部材５３をロックする状態とロック解除する状態とに切り替わるよう構成したことで、第２特別入賞装置５０全体のコンパクト化が図られる。
【００８０】
また、特別入賞口開閉部材５３が開放位置に回転変位した状態では、自重により閉鎖位置へ向けた回転力が特別入賞口開閉部材５３に作用するよう構成してあるから、第２特別入賞口５１を閉鎖する閉鎖位置に特別入賞口開閉部材５３をより安定的に保持することができ、該特別入賞口開閉部材５３の不正な開放をより効果的に阻止できる。しかも、前記特別入賞口開閉部材５３の第２装飾部５３ｃに突出部５３ｄを設けたことで、第２特別入賞口５１を閉鎖する閉鎖位置に特別入賞口開閉部材５３をより確実に保持することができる。そして、特別入賞口開閉部材５３が閉鎖位置に付勢されることで、第２特別入賞口５１が振動等に起因して不用意に開放するのを効果的に防止でき、第２特別入賞口５１への意図しない入賞を防ぐことができる。しかも、第２特別入賞ソレノイド５２は、非駆動時にプランジャ５２ａが下方へ突出する姿勢で配設されているから、該プランジャ５２ａの作用により作動部材８６がロック位置へ付勢されるから、特別入賞口開閉部材５３の不正な開放をより効果的に阻止し得る。
【００８１】
(変更例)
なお、本発明に係る遊技機の構成としては、前述した実施例に示したものに限らず、種々の変更が可能である。以下にその一例を示す。
【００８２】
(１)  実施例では、図柄表示装置が可視部に臨む装飾部材(枠状装飾体)の左側部に、入賞装置としての第２特別入賞装置を配設するよう構成したが、該装飾部材の右側部に入賞装置を配設することもできる。すなわち、入賞装置の配置位置は、球通過ゲートや球導入口と配置位置との関係で決定される。
(２)  実施例では不正検出センサとして磁気センサを採用した例を示したが、これに限られるものではなく、不正電波を検出する電波センサであってもよく、その他不正行為を検出可能なセンサを採用できる。
(３)  実施例では、設置部材に設けられる球通路部材にセンサ設置部を形成したが、これに限られるものではなく、不正検出センサの検出範囲が球導入口、球通過ゲートおよび装飾部材に設けられた入賞口の夫々を覆う位置であれば設置部材の任意の位置に形成することができ、また遊技盤の裏側に形成することも可能である。
(４)  実施例では、大当りの発生時に開放する第２特別入賞装置を装飾部材に配設した構成を示したが、これに限らず、装飾部材に配設される入賞装置としては、始動入賞装置であってもよく、また普通入賞装置であってもよい。
(５)  また、入賞装置に設けられる第１球排出通路(特別入賞球排出通路)の形状や構成は、実施例に示すものに限られず、装飾部材の後方へ遊技球を案内する後方案内通路と、該後方案内通路の後端部に連通すると共に装飾部材の側端部まで延在し、装飾部材の側方へ遊技球を案内する側方案内通路とを備えるよう構成すれば、任意に変更可能である。
(６)  実施例では、入賞装置の第１球排出通路(特別入賞球排出通路)に連通する第２球排出通路を第１および第２球排出案内通路から構成したが、１つまたは３つ以上の球通路で第２球排出通路を構成することもできる。
(７)  実施例の入賞装置(第２特別入賞装置)における作動機構としては、実施例に示したものに限られず、駆動手段の駆動時に開閉部材が開閉され、かつ駆動手段の非駆動時には開閉部材の強制的な開放が規制される構成であればよい。すなわち、開閉部材に設けられて入賞口を開閉部材が閉鎖する閉鎖位置および入賞口を開閉部材が開放する開放位置の間を開閉部材と一体的に変位する連繋部および規制部と、駆動手段の駆動に伴い開閉部材の開放を規制するロック位置および該開閉部材の開放位置に対応した作動位置に往復移動するよう構成される作動部材と、作動部材に設けられて連繋部と係脱可能に係合し、該作動部材のロック位置から作動位置への変位に伴い開閉部材を閉鎖位置から開放位置へ変位させる開閉作動部と、作動部材に設けられて規制部と係脱可能に係合し、該規制部との係合作用下において開閉部材の閉鎖位置から開放位置への変位を規制するロック部とを備えるよう構成すればよい。このとき、作動部材がロック位置にある状態では、開閉作動部と連繋部との係合が解除されると共に規制部とロック部とが係合して開閉部材の閉鎖位置から開放位置への変位を規制され、作動部材がロック位置から作動位置へ向けて変位する過程のロック解除位置で規制部とロック部との係合が解除されると共に開閉作動部と連繋部とが係合し、ロック解除位置から作動位置へ作動部材が変位することで、開閉部材が閉鎖位置から開放位置へ変位されるよう構成される。
(８)  また、上記構成を備える入賞装置としては、実施例に示した開閉手段が側方へ揺動する片開き式の入賞口を備えるものに限らず、開閉手段が前後に進退移動することで入賞口を開閉するよう構成された入賞装置であってもよく、またその他開閉手段が入賞口を開閉する入賞装置でもよい。
(９)  実施例では、入賞装置をユニット化して装飾部材に取り付けるよう構成したが、該入賞装置を構成する各部品(開閉部材や球検出センサ等)を個別に装飾部材に取り付けることもできる。
(１０)  実施例では、遊技盤を合板で形成したが、これに限られるものではなく、遊技盤を合成樹脂材から透明または不透明に形成するようにしてもよい。
(１１)  実施例では、遊技機としてパチンコ機を例示して説明したが、これに限られるものではなく、アレンジボール機やピンボール機、スロットマシン機等の各種遊技機を採用し得る。
【符号の説明】
【００８３】
５０  第２特別入賞装置(入賞装置)
５１  第２特別入賞口(入賞口)
５２  第２特別入賞ソレノイド(駆動手段)
５２ａ  プランジャ
５３  特別入賞口開閉部材(開閉手段)
５３ａ  受け片(開閉部)
５３ｃ  第２装飾部(装飾部)
５３ｄ  錘部
５４  回転軸
８４  連繋軸部(連繋部)
８５  規制突部(規制部)
８６  作動部材
８６ａ  ロック部
８９  開閉作動孔(開閉作動部)
【図１】
0005576828.tif 000002
【図２】
0005576828.tif 000003
【図３】
0005576828.tif 000004
【図４】
0005576828.tif 000005
【図５】
0005576828.tif 000006
【図６】
0005576828.tif 000007
【図７】
0005576828.tif 000008
【図８】
0005576828.tif 000009
【図９】
0005576828.tif 000010
【図１０】
0005576828.tif 000011
【図１１】
0005576828.tif 000012
【図１２】
0005576828.tif 000013
【図１３】
0005576828.tif 000014
【図１４】
0005576828.tif 000015
【図１５】
0005576828.tif 000016
【図１６】
0005576828.tif 000017
【図１７】
0005576828.tif 000018
【図１８】
0005576828.tif 000019
【図１９】
0005576828.tif 000020
【図２０】
0005576828.tif 000021